(57)【要約】【課題】  １つの会議で複数の資料をそれぞれの担当者が議長として発表する場合でも、会議の議長を円滑に交代することが可能な会議システムを提供すること【解決手段】  本発明は、複数の会議資料を記憶する記憶手段と、記憶手段に記憶された会議資料を携帯端末に送信する送信手段と、記憶手段に記憶された会議資料を携帯端末の１つもしくは複数から制御する会議資料アクセス手段と、会議資料アクセス手段により制御された会議資料を、他の携帯端末に表示制御させる表示制御手段とを有する。また、複数の会議資料と管理者をそれぞれ対応付けて記憶し、記憶された管理者からの制御かを判断して、記憶された管理者からの制御であると判断された場合に、会議資料アクセス手段による会議資料の制御を許可することを特徴とする。【選択図】図１
2017118291.tif 000002
【特許請求の範囲】
【請求項１】
複数の会議資料を記憶する記憶手段と、
前記記憶手段に記憶された会議資料を携帯端末に送信する送信手段と、
前記記憶手段に記憶された会議資料を前記携帯端末の１つもしくは複数から制御する会議資料アクセス手段と、
前記会議資料アクセス手段により制御された会議資料を、他の携帯端末に表示制御させる表示制御手段とを有する会議システムにおいて、
前記複数の会議資料と管理者をそれぞれ対応付けて記憶する管理者記憶手段と、
制御される会議資料が、前記管理者記憶手段に対応付けて記憶された管理者からの制御かを判断する判断手段と、
前記判断手段により、前記管理者記憶手段に対応付けて記憶された管理者からの制御であると判断された場合に、前記会議資料アクセス手段による会議資料の制御を許可する許可手段と、
を有することを特徴とする会議システム。
【請求項２】
前記表示制御手段は、前記会議資料を制御していない状態を有し、
前記判断手段は、前記表示制御手段の状態が前記会議資料を制御していない状態の場合に、制御される会議資料が、前記管理者記憶手段に対応付けて記憶された管理者からの制御かを判断することを特徴とする請求項１に記載の会議システム。
【請求項３】
前記管理者記憶手段に、前記複数の会議資料と管理者をそれぞれ対応付けて登録する管理者登録手段を有することを特徴とする請求項１又は２に記載の会議システム。
【請求項４】
複数の会議資料を記憶する記憶手段を有する会議システムにおける制御方法であって、
前記記憶手段に記憶された会議資料を携帯端末に送信する送信ステップと、
前記記憶手段に記憶された会議資料を前記携帯端末の１つもしくは複数から制御する会議資料アクセスステップと、
前記会議資料アクセスステップにより制御された会議資料を、他の携帯端末に表示制御させる表示制御ステップとを有し、
前記複数の会議資料と管理者をそれぞれ対応付けて登録する管理者登録ステップと、
制御される会議資料が、前記管理者登録ステップで対応付けて登録された記憶された管理者からの制御かを判断する判断ステップと、
前記判断ステップにより、前記管理者登録ステップに対応付けて登録された管理者からの制御であると判断された場合に、前記会議資料アクセスステップによる会議資料の制御を許可する許可ステップと、
を有することを特徴とする制御方法。
【請求項５】
請求項４に記載された制御方法を情報処理装置に実行させるためのプログラム。
【発明の詳細な説明】
【技術分野】
【０００１】
本発明は、携帯端末を利用した会議システムの技術に関する。
【背景技術】
【０００２】
近年、携帯端末（たとえば、タブレット）を使って、ユーザの手元で資料を確認しながら会議を行う会議システムが存在する。この会議システムは、会議に参加するユーザに議長、参加者といった権限を設定し、参加者それぞれが有するタブレットに同じドキュメントを表示させ、会議における議長が資料の頁が捲ると、他の参加者のタブレットの資料の頁も捲られる仕様になっている。
【０００３】
この会議システムでは、議長のタブレットがどの頁を今開いているか一定間隔毎に、サーバに情報を書込み、参加者のタブレットは一定間隔毎にサーバから議長が開いている頁情報を取得することで実現している。
【０００４】
この会議システムにおいて、複数の資料を使用する場合、複数の資料をそれぞれの担当者が作成し、複数の資料それぞれを作成した担当者が議長となって会議を進めたい場合もある。
【０００５】
このような場合、議長になる可能性のある複数のユーザ全員に対し、議長の権限を設定し、会議中に議長として会議に参加させる技術がある。
【０００６】
しかし、議長になりうる参加者は各々が各端末にて手動で権限の変更を行っているため、会議中の誤操作により、議長が途中で入れ替わってしまい、円滑な会議が実施できないことがある。
【０００７】
この課題を解決するために、特許文献１には議長権限の遷移を円滑に制御する目的で、最も早く要求した手元端末に優先権を与える方法や、予め設定された優先順位に従って優先権を与える方法が記載されている。
【先行技術文献】
【特許文献】
【０００８】
【特許文献１】特開２０００−１０８５８８号公報
【発明の概要】
【発明が解決しようとする課題】
【０００９】
しかしながら、特許文献１に記載の技術では、１つの会議で複数の資料をそれぞれの担当者が議長として発表する場合には、会議の議長を円滑に交代することができなかった。
【００１０】
本発明の目的は、１つの会議で複数の資料をそれぞれの担当者が議長として発表する場合でも、会議の議長を円滑に交代することが可能な会議システムを提供することである。
【課題を解決するための手段】
【００１１】
上記課題を解決するために、本発明は、複数の会議資料を記憶する記憶手段と、前記記憶手段に記憶された会議資料を携帯端末に送信する送信手段と、前記記憶手段に記憶された会議資料を前記携帯端末の１つもしくは複数から制御する会議資料アクセス手段と、前記会議資料アクセス手段により制御された会議資料を、他の携帯端末に表示制御させる表示制御手段とを有する会議システムにおいて、前記複数の会議資料と管理者をそれぞれ対応付けて記憶する管理者記憶手段と、制御される会議資料が、前記管理者記憶手段に対応付けて記憶された管理者からの制御かを判断する判断手段と、前記判断手段により、前記管理者記憶手段に対応付けて記憶された管理者からの制御であると判断された場合に、前記会議資料アクセス手段による会議資料の制御を許可する許可手段と、を有することを特徴とする。
【発明の効果】
【００１２】
本発明によれば、１つの会議で複数の資料をそれぞれの担当者が議長として発表する場合でも、会議の議長を円滑に交代することが可能な会議システムを提供することが可能になるという効果を有する。
【図面の簡単な説明】
【００１３】
【図１】本発明の実施形態に係る情報処理システムのシステム構成を概略的に示すブロック図である。
【図２】本発明の実施形態に係るサーバ、およびタブレットのハードウェア構成を概略的に示すブロック図である。
【図３】本発明に実施形態に係るサーバにおけるモジュール構成図である。
【図４】本発明の実施形態に係るタブレットおけるモジュール構成図である。
【図５】本発明の実施形態に係るサーバにおいて実行する資料の登録に関しての処理を示すフローチャートである。
【図６】本発明の実施形態に係るサーバにおいて実行する資料の権限設定に関しての処理を示すフローチャートである。
【図７】本発明の実施形態に係るサーバにおいて、会議中にに実行する処理を示すフローチャートである。
【図８】本発明の実施形態に係るサーバの表示部２１０に表示される画面イメージを示す模式図である。
【図９】本発明の実施形態に係るサーバの表示部２１０に表示される画面イメージを示す模式図である。
【図１０】本発明の実施形態に係るサーバ、およびタブレットの表示部２１０に表示される画面イメージを示す模式図である。
【図１１】本発明の実施形態に係るサーバが有するユーザ情報データの一例を示す模式図である。
【図１２】本発明の実施形態に係るサーバが有する会議室情報データの一例を示す模式図である。
【図１３】本発明の実施形態に係るサーバが有する資料情報データの一例を示す模式図である。
【発明を実施するための形態】
【００１４】
以下、添付の図面を参照して本発明の好適な実施形態を説明する。
［携帯端末の構成について］
【００１５】
以下、図面を参照して、本発明の実施形態を詳細に説明する。
【００１６】
まず、図１を用いて、本発明のシステム構成について説明する。
【００１７】
図１は、本発明の実施形態に係る情報処理システムに関するシステムの構成の一例を示す図である。
【００１８】
本実施形態にかかる情報処理システム１００は、タブレット１０１と、無線ＬＡＮルーター１０３が、無線ＬＡＮ等のネットワーク１０２を介して相互に通信可能に接続された構成となっている。
【００１９】
また、サーバ（情報処理装置）１０５と無線ＬＡＮルーター１０３も、ＬＡＮ等のネットワーク１０４を介して相互に通信可能に接続された構成となっている。サーバ１０５は、コンピュータ等の端末で構成される。
【００２０】
次に、図２を用いて本発明のタブレット１０１、及びサーバ１０５におけるハードウェア構成について説明する。
【００２１】
図２は、本発明のタブレット１０１、及びサーバ１０５におけるハードウェア構成の一例を示す図である。
【００２２】
図２において、２０１はＣＰＵ２０１であり、システムバス２０４に接続される各デバイスやコントローラを統括的に制御する。
【００２３】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、サーバ或いは各タブレットの実行する機能を実現するために必要な後述する各種プログラム等が記憶されている。ＲＡＭ２０３は、ＣＰＵ２０１の主メモリ、ワークエリア等として機能する。
【００２４】
ＣＰＵ２０１は、処理の実行に際して必要なプログラム等をＲＡＭ２０３にロードして、プログラムを実行することで各種動作を実現するものである。
【００２５】
また、入力コントローラ（入力Ｃ）２０５は、キーボード２０９や不図示のマウス等のポインティングデバイスからの入力を制御する。
【００２６】
ビデオコントローラ（ＶＣ）２０６は、ディスプレイ２１０への表示を制御する。ディスプレイは、ＣＲＴディスプレイでも液晶ディスプレイ等でも構わない。
【００２７】
メモリコントローラ（ＭＣ）２０７は、ブートプログラム、ブラウザソフトウエア、各種のアプリケーション、フォントデータ、利用者ファイル、編集ファイル、各種データ等を記憶するハードディスク（ＨＤ）やＰＣＭＣＩＡカードスロットにアダプタを介して接続されるコンパクトフラッシュ（登録商標）メモリ等の外部メモリ２１１へのアクセスを制御する。
【００２８】
通信Ｉ／Ｆコントローラ（通信Ｉ／ＦＣ）２０８は、ネットワーク１０２あるいは１０４を介して、外部機器と接続・通信するものであり、ネットワークでの通信制御処理を実行する。例えば、ＴＣＰ／ＩＰを用いたインターネット通信等が可能である。
【００２９】
なお、ＣＰＵ２０１は、例えばＲＡＭ２０３内の表示情報用領域へアウトラインフォントの展開（ラスタライズ）処理を実行することにより、ディスプレイ２１０上での表示を可能としている。
【００３０】
また、ＣＰＵ２０１は、ディスプレイ２１０上の不図示のマウスカーソル等でのユーザ指示を可能とする。
【００３１】
本発明を実現するためのプログラムは外部メモリ２１１に記録されており、必要に応じてＲＡＭ２０３にロードされることによりＣＰＵ２０１によって実行されるものである。
【００３２】
さらに、本発明に係わるプログラムが用いる各種データ及び各種テーブルは外部メモリ２１１に格納されており、これらについての詳細な説明は後述する。
【００３３】
なお、全ての装置がこれらの構成を備えているわけではなく、必要なものを夫々備えていればよい。
【００３４】
次に図３を用いて、本発明のサーバ１０５のモジュール構成について説明する。
【００３５】
図３は、サーバ１０５におけるモジュールの構成の一例を示す図である。
【００３６】
サーバ１０５におけるモジュールの構成としては、大きく分類すると、メインメニューの配下に、会議室の場所、収容人数、利用可能時間等の会議室情報を登録するための会議室管理、会議室を利用可能なユーザ情報を登録するためのユーザ管理、会議で利用する資料の登録、議長権限を付与する設定の資料管理等を含んで分類される。
【００３７】
資料管理に関するモジュールは、会議で利用する資料を登録するための資料登録３０１から主に構成されており、タブレット１０１において表示される資料をサーバ１０５から登録する。
【００３８】
権限設定に関するモジュールは、会議で利用する資料に対して、議長権限を付与する権限設定３０２から主に登録されており、タブレット１０１において会議の開始、終了を制御する設定をサーバ１０５から行う。
【００３９】
次に、図４を用いて、本発明のタブレット１０１のモジュール構成について説明する。
【００４０】
図４は、タブレット１０１におけるモジュール構成の一例を示す図である。
【００４１】
タブレット１０１におけるモジュール構成としては、メインメニューの配下に、会議を行う際に利用する会議室を選択するための会議室選択４０１、会議室選択４０１で選択した会議室で行われる会議で利用する資料を選択するための資料選択４０２、資料選択４０２で選択された資料を閲覧するための資料閲覧４０３、及び会議の終了を指示する会議終了４０４等を含む構成を有している。
【００４２】
次に図５のフローチャートを参照して、本発明の実施形態に係るサーバで実行される資料登録に関する処理について説明する。
【００４３】
図５は、本実施形態に係る会議システムにおける資料の登録を示すフローチャートである。尚、本フローチャートにおける各処理ステップは、サーバ１０５のＣＰＵ２０１における制御の下、処理が実行される。
【００４４】
図５のフローチャートは、会議で使用する会議資料を登録する処理の際に開始される処理の流れである。
【００４５】
まず、ステップ５０１において、サーバ１０５のＣＰＵ２０１は、図８に示す資料管理メニュー８０１を表示部２１０に表示して、処理の受付監視状態にて待機し、ユーザによって選択された処理内容を受け付ける。
【００４６】
次に、ステップ５０２において、サーバ１０５のＣＰＵ２０１は、ユーザにより資料管理メニュー８０１の資料ファイル選択が押下されたか否かを判定し、押下されたと判定すると、ステップ５０３へ処理を進める。資料管理メニューの資料ファイル選択が押下されない間はステップ５０２の処理を繰り返す。
【００４７】
ステップ５０３に処理を移行すると、サーバ１０５のＣＰＵ２０１は、図８に示す会議室選択画面８０２を表示して、処理選択の受付監視状態にて待機し、ユーザによって選択された処理内容を受け付ける。
【００４８】
次に、ステップ５０４において、サーバ１０５のＣＰＵ２０１は、ユーザにより会議室選択画面８０２の会議室表示一覧に表示された会議室が選択されたか否かを判定し、選択されたと判定した場合、ステップ５０５へ処理を進め、戻るボタンが押下された場合、ステップ５０２へ処理を戻す。
【００４９】
ステップ５０５に処理を移行すると、サーバ１０５のＣＰＵ２０１は、図８に示す資料登録画面８０３を表示して、処理選択の受付監視状態にて待機し、ユーザによって選択された処理内容を受け付ける。
【００５０】
次に、ステップ５０６において、サーバ１０５のＣＰＵ２０１は、ステップ５０４において選択された会議室で利用する会議資料を登録するため、登録ボタンが押下されたか否かを判定し、押下されたと判定した場合、ステップ５０７へ処理を進め、押下されたと判定しない場合、ステップ５０４へ処理を戻す。
【００５１】
ステップ５０７に処理を移行すると、サーバ１０５のＣＰＵ２０１は、ステップ５０６で選択された会議資料を図１４に示す資料情報テーブルへ登録する。以上で図５の会議で使用する会議資料を登録する処理のフローチャートの説明を終了する。
【００５２】
次に図６のフローチャートを参照して、本発明の実施形態に係るサーバで実行される会議資料の権限登録に関する処理について説明する。
【００５３】
図６は、本実施形態に係る会議システムにおける会議資料の権限設定を示すフローチャートである。なお、本フローチャートにおける各処理ステップは、サーバ１０５のＣＰＵ２０１における制御の下、処理が実行される。
【００５４】
図６のフローチャートは、会議で使用する会議資料の議長としての権限登録を行う処理の際に開始される処理の流れである。
【００５５】
まず、ステップ６０１において、サーバ１０５のＣＰＵ２０１は、図９に示す資料管理メニュー９０１を表示して、処理の受付監視状態にて待機し、ユーザによって選択された処理内容を受け付ける。
【００５６】
次に、ステップ６０２において、サーバ１０５のＣＰＵ２０１は、資料管理メニュー９０１のファイル選択が押下されたか否かを判定し、押下されたと判定した場合、ステップ６０３へ処理を進め、ステップ６０３では、図９に示す資料選択画面９０２を表示して、処理選択の受付監視状態にて待機し、ユーザによって選択された処理内容を受け付ける。一方、ステップ６０２において、ファイル選択が押下されない間はステップＳ６０２の処理を繰り返す。
【００５７】
資料選択画面９０２の資料表示一覧には、資料情報テーブル１３０１に登録された資料情報を取得し、資料情報に含まれる資料名の表示を行う。
【００５８】
ステップＳ６０３の処理後、ステップ６０４において、サーバ１０５のＣＰＵ２０１は、資料選択画面９０２に表示された資料が選択されたか否かを判定し、選択されたと判定した場合、ステップ６０５へ処理を進め、戻るボタンが押下されたと判定した場合、ステップ６０２へ処理を戻す。
【００５９】
ステップ６０５に処理を移行すると、サーバ１０５のＣＰＵ２０１は、図９に示す権限設定画面９０３を表示して、処理の受付監視状態にて待機し、ユーザによって選択された処理内容を受け付ける。
【００６０】
次に、ステップ６０６において、サーバ１０５のＣＰＵ２０１は、権限設定画面９０３の登録ボタンが押下されたか否かを判定し、押下されたと判定した場合、ステップ６０７へ処理を進め、押下されたと判定しない場合、ステップ６０４へ処理を戻す。
【００６１】
ステップ６０７に処理を移行すると、サーバ１０５のＣＰＵ２０１は、選択された資料の議長としての権限を設定するため、図１３に示す資料情報テーブルに登録を行う。
【００６２】
資料情報テーブル１３０１は、資料を一意に識別するための資料番号、資料の名称を示す資料名、議長権限を付与するユーザ情報、会議において利用可能な資料を示す会議室番号で構成されており、ユーザ番号は、図１１に示すユーザ情報テーブル、会議室番号は、図１２に示す会議室情報テーブルに対応している。以上の処理により、会議資料毎に議長としての権限をユーザが付与することができる。以上で図６の会議で使用する会議資料の議長としての権限登録を行う処理のフローチャートの説明を終了する。
【００６３】
次に、図７を参照して、本発明の実施形態に係るタブレットで会議中に実行される処理について説明する。
【００６４】
図７は、本実施形態に係る会議システムにおける会議中にタブレットで行われる処理を示すフローチャートである。尚、本フローチャートにおける各処理ステップは、主にタブレット１０１のＣＰＵ２０１における制御の下、処理が実行される。
【００６５】
図７のフローチャートは、会議システムにおいて、会議を開始する際にタブレットからの入力に対応してサーバ１０５で開始される処理の流れである。なお、ステップ７０１の処理を開始する前に、図示しないタブレット１０１の使用ユーザを特定するログイン認証を行う。
【００６６】
まず、ステップ７０１において、サーバ１０５のＣＰＵ２０１は、図１０に示す会議室選択画面１００１をタブレット１０１に送信し、タブレットの表示部２１０に会議室選択画面１００１を表示させる。
【００６７】
会議室選択画面１００１の会議室表示一覧には、サーバ１０５の資料情報テーブルを取得し、取得した資料情報に含まれる会議室番号毎に、当該会議室番号を表示する。
【００６８】
次に、ステップ７０２において、サーバ１０５のＣＰＵ２０１は、タブレット１０１で選択された会議室の会議室ステータスが０（会議終了）であるか否かを判定し、会議室一覧に表示された会議室が選択され、選択された会議室の会議室ステータスが０と判定した場合、ステップ７０３へ処理を進める。一方、会議ステータスが１（会議中）と判定した場合、ステップ７０６へと処理を進める。
【００６９】
ステップ７０３へと処理を移行すると、サーバ１０５のＣＰＵ２０１は、図１０に示す資料選択画面１００２をタブレット１０１に送信し、タブレットの表示部２１０に会議室選択画面１００２を表示させる。資料選択画面１００２の資料表示一覧は、ステップ７０２において選択した会議室で利用する資料の資料名が表示される。
【００７０】
次に、ステップ７０４において、サーバ１０５のＣＰＵ２０１は、資料表示一覧に表示された資料がユーザによりタブレット１０１上で選択され、選択された資料に対し、議長権限が付与されているか否かを判定する。議長権限が付与されているかの判定は、ステップ７０１の処理を開始する前に行った、図示しない使用ユーザのログイン認証によるログイン情報１１０１と、資料情報１３０１に登録されているユーザ番号とが一致している資料番号が選択されているかで判定する。議長権限が付されている場合、ステップ７０５へ処理を進める。
【００７１】
ステップ７０５へと処理が進むと、サーバ１０５のＣＰＵ２０１は、サーバ１０５の会議室情報テーブル１２０１の会議室ステータスを更新（１に変更）する。
【００７２】
一方、ステップ７０４において、資料表示一覧の中で、議長権限が付与されていない会議資料が選択された場合、ステップ７１４へと処理を遷移し、タブレット１０１のＣＰＵ２０１は、図１０のメッセージ画面１００４（図１０）をタブレット１０１に送信し、タブレットの表示部２１０に会議室選択画面１００４を表示させる。その後、ステップ７０３の処理へと戻す。
【００７３】
ステップ７０５の処理後、もしくはステップ７０２において会議室ステータスが１（会議中）であった場合、サーバ１０５のＣＰＵ２０１は、ステップ７０６へと処理を遷移し、ステップ７０４で指定された会議資料、もしくはサーバが有する会議中の会議資料を各タブレットに配信する。
【００７４】
次に、ステップ７０７において、サーバ１０５のＣＰＵ２０１は、各タブレット１０１に配信された会議資料を表示するように命令（制御）する。制御した結果はたとえば、図１０の１００３のような資料閲覧画面イメージをタブレット１０１の表示部２１０に表示する。
【００７５】
議長権限を持つタブレット１０１のユーザにより、ステップ７０７で、たとえば図１０の１００３から資料の頁が捲られると、タブレット１０１は頁をめくる命令をサーバへ送信し、サーバ１０５のＣＰＵ２０１は、ステップ７０８において、頁が捲られたと判断し、ステップＳ７０９へと処理を遷移する。一方、タブレット１０１から頁を捲られていないと判断すると、ステップ７０９の処理を実行せず、ステップＳ７１０へと処理を遷移する。
【００７６】
ステップ７０９において、サーバ１０５のＣＰＵ２０１は、サーバ１０５の会議室情報テーブル１２０１を更新し、次に、ステップ７１０において、タブレット１０１の表示部２１０にたとえば資料閲覧画面イメージ１００３のような画面を表示する命令を送信して、ステップ７１１からステップ７０７の処理を繰り返し、ユーザによって選択された処理内容を受け付ける。
【００７７】
ステップ７１１において、サーバ１０５のＣＰＵ２０１は、ユーザからのタブレット１０１への入力により、資料閲覧画面（図１０の１００３）を終了（議長権限の解放）する命令を受信すると、ステップ７１２の処理へと移行する。資料閲覧画面の終了を受け付けるユーザからの操作としては、たとえば資料閲覧画面１００３の終了ボタンを押下する操作や、閲覧している会議資料の最後の頁に遷移し、更に頁を捲る操作をした場合などである。
【００７８】
ステップ７１２へと処理を移行すると、サーバ１０５のＣＰＵ２０１は、会議室情報テーブル（図１２の１２０１）の会議室ステータス欄を会議中状態の「１」から会議終了状態の「０」に更新する。
【００７９】
次に、ステップＳ７１３において、サーバ１０５のＣＰＵ２０１は、タブレット１０１から会議を終了するかどうかの情報を受け付ける。会議を終了する命令を受信すると、本発明の処理を終え、会議を継続する場合は、ステップ７０３へと処理を戻す。
【００８０】
以上、本発明によれば、会議室が終了（会議室が空いている）状態から会議を開始（資料を選択）する場合に、議長権限を持ったユーザーのみが資料を選択できる仕組みを設けることで議長の交代を円滑にすることができる。
【００８１】
以上、実施形態例を詳述したが、本発明は、例えば、方法、プログラムもしくは記憶媒体等としての実施態様をとることが可能である。
【００８２】
また、本発明におけるプログラムは、各処理方法をコンピュータが実行可能（読取可能）なプログラムであり、本発明の記憶媒体は、各処理方法をコンピュータが実行可能なプログラムが記憶されている。
【００８３】
なお、本発明におけるプログラムは、各装置の処理方法ごとのプログラムであってもよい。
【００８４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読取り実行することによっても、本発明の目的が達成されることは言うまでもない。
【００８５】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、及びシリコンディスク等を用いることができる。
【００８６】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【００８７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８９】
さらに、本発明を達成するためのプログラムをネットワーク上のサーバー、データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【００９０】
１０１    タブレット
１０２    無線ＬＡＮ
１０３    無線ＬＡＮルーター
１０４    ＬＡＮ
１０５    サーバー
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    ＫＢ（またはマウス）
２１０    ディスプレイ
２１１    外部メモリ（ＨＤ、ＦＣ）
【図１】
2017118291.tif 000003
【図２】
2017118291.tif 000004
【図３】
2017118291.tif 000005
【図４】
2017118291.tif 000006
【図５】
2017118291.tif 000007
【図６】
2017118291.tif 000008
【図７】
2017118291.tif 000009
【図８】
2017118291.tif 000010
【図９】
2017118291.tif 000011
【図１０】
2017118291.tif 000012
【図１１】
2017118291.tif 000013
【図１２】
2017118291.tif 000014
【図１３】
2017118291.tif 000015